(57)【特許請求の範囲】
【請求項１】
対向する一対の基板間に液晶層を挟持してなる液晶装置の駆動方法において、
前記液晶層は、液晶分子のねじれ角がΦである初期状態、前記液晶分子の配列状態がほぼΦ−１８０度である第１の安定状態、及び前記液晶分子の配列状態がほぼΦ＋１８０度である第２の安定状態、を少なくとも有し、
一方の前記基板に形成された複数の走査電極に印加される走査信号と、他方の前記基板に形成された信号電極に印加されるデータ信号とにより、前記液晶層における配列状態を制御してなり、
前記走査信号は、リセット期間に印加されるリセットパルスと、選択期間に印加される選択パルスとを少なくとも有し、
前記走査電極が選択される毎に、前記データ信号が前記信号電極に供給され、
前記複数の走査電極を複数のグループにグループ分けし、前記複数のグループを順次選択してなり、
選択された前記グループ内の走査電極に対しては、直交関数に基づいて設定されてなる前記選択パルスをほぼ同時に印加する
ことを特徴とする液晶装置の駆動方法。
【請求項２】
対向する一対の基板間に液晶層を挟持してなる液晶装置の駆動方法において、
前記液晶層は、液晶分子のねじれ角がΦである初期状態、前記液晶分子の配列状態がほぼΦ−１８０度である第１の安定状態、及び前記液晶分子の配列状態がほぼΦ＋１８０度である第２の安定状態、を少なくとも有し、
一方の前記基板に形成された複数の走査電極に印加される走査信号と、他方の前記基板に形成された信号電極に印加されるデータ信号とにより、前記液晶層における配列状態を制御してなり、
前記走査信号は、リセット期間に印加されるリセットパルスと、選択期間に印加される選択パルスとを少なくとも有し、
前記走査電極が選択される毎に、前記データ信号が前記信号電極に供給され、
前記複数の走査電極を複数のグループにグループ分けし、前記複数のグループを順次選択してなり、
選択された前記グループ内の走査電極に対しては前記走査信号をほぼ同時に印加し、当該選択パルスは、前記液晶分子が垂直配向から２つの前記安定状態のうちのいずれか１つの安定状態に向けて動き出し、遷移が完了する間に印加される
ことを特徴とする液晶装置の駆動方法。
【請求項３】
対向する一対の基板間に液晶層を挟持してなる液晶装置の駆動方法において、
前記液晶層は、液晶分子のねじれ角がΦである初期状態、前記液晶分子の配列状態がほぼΦ−１８０度である第１の安定状態、及び前記液晶分子の配列状態がほぼΦ＋１８０度である第２の安定状態、を少なくとも有し、
一方の前記基板に形成された複数の走査電極に印加される走査信号と、他方の前記基板に形成された信号電極に印加されるデータ信号とにより、前記液晶層における配列状態を制御してなり、
前記走査信号は、リセット期間に印加されるリセットパルスと、選択期間に印加される選択パルスとを少なくとも有し、
前記走査電極が選択される毎に、前記データ信号が前記信号電極に供給されてなり、
前記複数の走査電極を複数のグループにグループ分けし、前記複数のグループを順次選択してなり、
選択された前記グループ内の走査電極に対しては前記走査信号の選択パルスをほぼ同時に印加し、
前記グループ分けにおいては、実際に存在する複数の走査電極と仮想した少なくとも１本の仮想電極とによりグループを構成し、前記仮想電極には前記実際に存在する複数の走査電極に印加される走査信号と同時に走査信号が印加されるものとして扱う
ことを特徴とする液晶装置の駆動方法。
【請求項４】
対向する一対の基板間に液晶層を挟持してなる液晶装置の駆動方法において、
前記液晶層は、液晶分子のねじれ角がΦである初期状態、前記液晶分子の配列状態がほぼΦ−１８０度である第１の安定状態、及び前記液晶分子の配列状態がほぼΦ＋１８０度である第２の安定状態、を少なくとも有し、
一方の前記基板に形成された複数の走査電極に印加される走査信号と、他方の前記基板に形成された信号電極に印加されるデータ信号とにより、前記液晶層における配列状態を制御してなり、
前記走査信号は、リセット期間に印加されるリセットパルスと、選択期間に印加される選択パルスとを少なくとも有し、
前記走査電極が選択される毎に、前記データ信号が前記信号電極に供給され、
前記複数の走査電極を複数のグループにグループ分けし、前記複数のグループを順次選択してなり、
選択された前記グループ内の各走査電極に対して、選択期間内で互いに異なるパルス波形を有する前記選択パルスをほぼ同時に印加する
ことを特徴とする液晶装置の駆動方法。
【請求項５】
対向する一対の基板間に液晶層を挟持してなる液晶装置の駆動方法において、
前記液晶層は、液晶分子のねじれ角がΦである初期状態、前記液晶分子の配列状態がほぼΦ−１８０度である第１の安定状態、及び前記液晶分子の配列状態がほぼΦ＋１８０度である第２の安定状態、を少なくとも有し、
一方の前記基板に形成された複数の走査電極に印加される走査信号と、他方の前記基板に形成された信号電極に印加されるデータ信号とにより、前記液晶層における配列状態を制御してなり、
前記走査信号は、リセット期間に印加されるリセットパルスと、選択期間に印加される選択パルスとを少なくとも有し、
前記走査電極が選択される毎に、前記データ信号が前記信号電極に供給され、
前記複数の走査電極を複数のグループにグループ分けし、前記複数のグループを順次選択してなり、
選択された前記グループ内の走査電極に対しては前記選択パルスをほぼ同時に印加し、当該選択パルスは選択期間内において間隔を空けて２分割され、
互いに隣接するタイミングで順次選択される前記グループ同士は、先に選択されるグループの前記選択期間内の間隔に後で選択されるグループの２分割された前半の前記選択パルスが位置するように、前記選択期間同士が重なる
ことを特徴とする液晶装置の駆動方法。
【請求項６】
対向する一対の基板間に液晶層を挟持してなる液晶装置の駆動方法において、
前記液晶層は、液晶分子のねじれ角がΦである初期状態、前記液晶分子の配列状態がほぼΦ−１８０度である第１の安定状態、及び前記液晶分子の配列状態がほぼΦ＋１８０度である第２の安定状態、を少なくとも有し、
一方の前記基板に形成された複数の走査電極に印加される走査信号と、他方の前記基板に形成された信号電極に印加されるデータ信号とにより、前記液晶層における配列状態を制御してなり、
前記走査信号は、リセット期間に印加されるリセットパルスと、選択期間に印加される選択パルスとを少なくとも有し、
前記走査電極が選択される毎に、前記データ信号が前記信号電極に供給され、
前記複数の走査電極を複数のグループにグループ分けし、前記複数のグループを順次選択してなり、
選択された前記グループ内の走査電極は、表示画面を複数のブロックに分割した各ブロックの中から選択されて構成されてなり、
前記複数のブロックから各々選択されて構成される前記各グループ内の各走査電極には、リセット期間にほぼ同時にリセットパルスを印加し、選択期間には前記選択パルスをほぼ同時に印加してなる
ことを特徴とする液晶装置の駆動方法。
【請求項７】
請求項１乃至６のいずれかに記載の液晶装置の駆動方法を用いて駆動されることを特徴とする液晶装置。
【請求項８】
請求項７記載の液晶装置を搭載したことを特徴とする電子機器。
【発明の詳細な説明】
［技術分野］
本発明は液晶装置の駆動方法に関わる。特に、メモリー性を有する液晶を有する液晶装置の駆動方法に関するものである。
［背景技術］
カイラルネマチック液晶を用いた液晶装置の駆動方法が、特公平１−５１８１８号公報（USP4,239,345）に既に開示されている。この中には、電圧無印加持における初期状態の初期配向条件、２つの準安定状態、また、その２つの準安定状態間の切り換えの方法等について記述されている。しかし、この中には、実用的な駆動の方法については全く記述がなく、さらにいうならば、現在最も実用的な液晶表示であるマトリクス表示の駆動方法については何等開示されていない。
そこで、本発明者等は、マトリックス表示するための駆動方法として特開平６−２３０７５１、及び、特開平７−１７５０４１を出願し、実用的な液晶表示装置とその駆動方法を実現した。即ち、本発明者等は、初期ツイスト角Φ（例えば、１８０度）のカイラルネマチック液晶を一対の基板間に挟持した液晶装置を作成した。それぞれの基板にはストライプ状の電極が形成されている。従来の駆動方法は以下の通りである。
すなわち、一対の基板間に挟持された液晶層に、液晶層の中の液晶分子を垂直に立たせるに充分なジャイアントパルスが印加される。続いて、適当な遅延時間を置いた後、臨界値を基準とした選択パルスが液晶に印加され、ねじれの解けた０度ユニフォーム状態（Φ−１８０度）と、ねじれの増した３６０度（Φ＋１８０度）ツイスト状態とが作り出される。表示は、前述のΦ−１８０度状態とΦ＋１８０度状態とにより行われ、一方の状態をＯＮ状態、他方の状態をＯＦＦ状態とする。この駆動方法は基本的に液晶のパルス応答を利用したものである。
第７図は別の従来の駆動方法を示す駆動波形の例である。第７図の（ａ）は走査電極に印加されるコモン波形を示し、第７図の（ｂ）は信号電極に印加されるデータ波形を示した例である。コモン波形は第７図（ａ）に示す通りであり、リセット期間８、遅延期間９、選択期間１０、非選択期間１１とからなる所定期間に、図に示す様なパルスが前記走査電極に印加される。
すなわち、リセット期間８においてジャイアントパルスが印加され、遅延期間９においてインターバルをもったパルスが印加される。そして、マトリクス表示するため、各ラインを順次走査する第ｋラインの選択期間１０では、表示のオン状態もしくはオフ状態を選択するための電圧値を有する選択パルスが印加される。その他は非選択期間１１であり、この期間はその他の走査電極を選択している期間となる。少なくとも、従来の駆動方法は線順次に走査電極が選択される駆動方法である。
リセット期間８に印加されるジャイアントパルスは波高値が１７Ｖ以上のパルスであり、１〜２ｍｓ程度の持続時間が必要である。また、選択期間１０に印加される選択パルスは信号電極に印加されるデータ電圧の３〜４倍の電圧とすることが良い。
遅延期間９は数１００μｓの時間とし、この遅延期間、および非選択期間１１は電圧ゼロ（基準電位Ｖｃ）とする。
データ波形（ｂ）は、基準電圧Ｖｃに対してプラス側、マイナス側に対称の電圧とする。このデータ波形の位相が、選択電圧と同相の場合は表示のＯＦＦ状態を選択し、逆相の場合には表示のＯＮ状態を選択する。従って、リセット期間８を除いては所謂電圧平均化法となる。
また、交流化の為の信号の反転は、第７図のように選択期間（１Ｈ）の整数倍（ｎＨ、ｎは正の整数）ごとに行い１フレームを完了させ、さらに、次に来るフレームで直前のフレームにおけるパルスを逆転させることで、直流分を相殺している。ここでは図示しないが、液晶に印加される電圧はコモン信号とデータ信号の差分であり、ここにあげた例と同等の電圧が印加されれば問題が無いので、コモン信号、及びデータ信号の電圧レベルを２群に分け、この２群の中の電圧間で揺さぶる方式であってもよい。これらの例については前掲の公開特許を参照されたい。
一方、スーパーツイステッドネマチック液晶（ＳＴＮ液晶）を用いた液晶装置においては、液晶材料の高速応答化に伴い、従来の累積応答には無い表示状態の減衰の早さ、すなわち透過率の減衰が問題点として生じ、これによってコントラストの低下を来す現象（フレーム応答）が知られている。
これを解決する手段として、複数の走査電極（走査ラインともいう）を同時に選択する駆動という考え方が出現した（以下、この駆動方法をマルチライン駆動法、略してＭＬＳ駆動法、と記載する）。これらは特開平５−１００６４２、および、特願平４−１４８８４５に詳細に記載されている。これらによれば、当該駆動方法は１フレーム内に複数の選択期間が設けられ、且つ１フレーム内に分散させた駆動方法となっている。したがって、その都度の液晶の応答を累積することによって必要な透過率を出し、表示のＯＮ／ＯＦＦ状態を得ており、該駆動方法は液晶の累積応答と実効値応答効果を利用した駆動方法である。
第８図は従来の駆動方法を示した一例であり、４本の走査電極を同時に選択する駆動波形を示した例である。４本の走査電極に印加されるコモン波形Ｒ１〜Ｒ４は図に示す通りである。すなわち、選択期間Ｓ１〜Ｓ４が１フレーム内に分散され、周期ｔ毎に等分に４回に分けて選択電圧が液晶に印加される。各コモン波形間には前掲の出願でいう直交正規系という性質が与えてある。詳細には、基準電圧（Ｖｃ）に対してプラス側を１、マイナス側を０として、Ｒ１〜Ｒ４という４本の走査電極の各選択期間（Ｓ１〜Ｓ４）に印加される選択電圧を行列式で表わしたものである。この行列が直交性を満たすように選択電圧が設定される。
また、データ波形Ｃ１、Ｃ２も図に示す通りであり、それぞれ４本づつ同時にアクセスされた行に対するデータ信号の例が記載されている。データ信号の電圧レベルは、基準電位（Ｖｃ：すなわちゼロ）を基準として、合計５つの電圧レベルで設定されている。具体的なデータ信号の決定は、選択された４本の行と交差する１列の表示状態（ＯＮ／ＯＦＦの組み合わせで２4＝１６通り）とに応じて決められる。
回路上はコモン波形と表示させたいデータとの排他的論理和を取り、その出力状態をカウントすることにより印加電圧のレベルが決定される。
このようにして液晶に印加される電圧は１フレーム期間中のコモン信号とデータ信号との差である実効値として印加される。従って、選択期間が４回に分割された駆動方法であっても、実効値電圧に従った表示状態が得られる。また、駆動波形の交流化はフレームごとの反転によって行われる。なお、２フレームで液晶層に印加される電圧の交流化が達成される。
第７図に示した駆動方法によって、従来の液晶装置はデューティ比１／２４０で駆動することができ、このような大容量の液晶装置を駆動することに成功した。しかし、同駆動方法によってさらに大容量の液晶表示を実現しようとすると、書き込みパルスの印加時間（すなわち、選択期間）の短縮化と液晶応答時間の高速化を図らねばならず、現有の液晶材料では表示素子の駆動電圧マージンの低下が否めなかった。
本発明はこのような問題点の解決に当たり、前述したＳＴＮ型液晶を用いた液晶装置のＭＬＳ駆動法を参考に、これをパルス応答の本願の液晶表示装置にも適用できるよう改良したものである。即ち、大容量化に伴う書き込みパルス時間の短縮化を、ＭＬＳ駆動法によって補い、かつ、液晶の応答性に合わせたパルスの印加タイミングを最適化し、充分な駆動マージンの確保を目指したものである。
［発明の開示］
本発明の主要な目的の一つは、大容量化に伴う書き込みパルス時間の短縮化、及び液晶の応答性に合わせたパルスの印加タイミングを最適化し、充分な駆動マージンを確保することである。
この目的を達成するため、本発明の液晶装置の駆動方法は、対向する一対の基板間に液晶層を挟持してなる液晶装置の駆動方法において、前記液晶層は、液晶分子のねじれ角がΦである初期状態、前記液晶分子の配列状態がほぼΦ−１８０度である第１の安定状態、及び前記液晶分子の配列状態がほぼΦ＋１８０度である第２の安定状態、を少なくとも有し、一方の前記基板に形成された複数の走査電極に印加される走査信号と、他方の前記基板に形成された信号電極に印加されるデータ信号とにより、前記液晶層における配列状態を制御してなり、前記走査信号は、リセット期間に印加されるリセットパルスと、選択期間に印加される選択パルスとを少なくとも有し、前記走査電極が選択される毎に、前記データ信号が前記信号電極に供給され、前記複数の走査電極を複数のグループにグループ分けし、前記複数のグループを順次選択してなり、選択された前記グループ内の走査電極に対しては、直交関数に基づいて設定されてなる前記選択パルスをほぼ同時に印加することを特徴とする。
また、対向する一対の基板間に液晶層を挟持してなる液晶装置の駆動方法において、前記液晶層は、液晶分子のねじれ角がΦである初期状態、前記液晶分子の配列状態がほぼΦ−１８０度である第１の安定状態、及び前記液晶分子の配列状態がほぼΦ＋１８０度である第２の安定状態、を少なくとも有し、一方の前記基板に形成された複数の走査電極に印加される走査信号と、他方の前記基板に形成された信号電極に印加されるデータ信号とにより、前記液晶層における配列状態を制御してなり、前記走査信号は、リセット期間に印加されるリセットパルスと、選択期間に印加される選択パルスとを少なくとも有し、前記走査電極が選択される毎に、前記データ信号が前記信号電極に供給され、前記複数の走査電極を複数のグループにグループ分けし、前記複数のグループを順次選択してなり、選択された前記グループ内の走査電極に対しては前記走査信号をほぼ同時に印加し、当該選択パルスは、前記液晶分子が垂直配向から２つの前記安定状態のうちのいずれか１つの安定状態に向けて動き出し、遷移が完了する間に印加されることを特徴とする。
また、対向する一対の基板間に液晶層を挟持してなる液晶装置の駆動方法において、前記液晶層は、液晶分子のねじれ角がΦである初期状態、前記液晶分子の配列状態がほぼΦ−１８０度である第１の安定状態、及び前記液晶分子の配列状態がほぼΦ＋１８０度である第２の安定状態、を少なくとも有し、一方の前記基板に形成された複数の走査電極に印加される走査信号と、他方の前記基板に形成された信号電極に印加されるデータ信号とにより、前記液晶層における配列状態を制御してなり、前記走査信号は、リセット期間に印加されるリセットパルスと、選択期間に印加される選択パルスとを少なくとも有し、前記走査電極が選択される毎に、前記データ信号が前記信号電極に供給されてなり、前記複数の走査電極を複数のグループにグループ分けし、前記複数のグループを順次選択してなり、選択された前記グループ内の走査電極に対しては前記走査信号の選択パルスをほぼ同時に印加し、前記グループ分けにおいては、実際に存在する複数の走査電極と仮想した少なくとも１本の仮想電極とによりグループを構成し、前記仮想電極には前記実際に存在する複数の走査電極に印加される走査信号と同時に走査信号が印加されるものとして扱うことを特徴とする。
また、対向する一対の基板間に液晶層を挟持してなる液晶装置の駆動方法において、前記液晶層は、液晶分子のねじれ角がΦである初期状態、前記液晶分子の配列状態がほぼΦ−１８０度である第１の安定状態、及び前記液晶分子の配列状態がほぼΦ＋１８０度である第２の安定状態、を少なくとも有し、一方の前記基板に形成された複数の走査電極に印加される走査信号と、他方の前記基板に形成された信号電極に印加されるデータ信号とにより、前記液晶層における配列状態を制御してなり、前記走査信号は、リセット期間に印加されるリセットパルスと、選択期間に印加される選択パルスとを少なくとも有し、前記走査電極が選択される毎に、前記データ信号が前記信号電極に供給され、前記複数の走査電極を複数のグループにグループ分けし、前記複数のグループを順次選択してなり、選択された前記グループ内の各走査電極に対して、選択期間内で互いに異なるパルス波形を有する前記選択パルスをほぼ同時に印加することを特徴とする。
また、対向する一対の基板間に液晶層を挟持してなる液晶装置の駆動方法において、前記液晶層は、液晶分子のねじれ角がΦである初期状態、前記液晶分子の配列状態がほぼΦ−１８０度である第１の安定状態、及び前記液晶分子の配列状態がほぼΦ＋１８０度である第２の安定状態、を少なくとも有し、一方の前記基板に形成された複数の走査電極に印加される走査信号と、他方の前記基板に形成された信号電極に印加されるデータ信号とにより、前記液晶層における配列状態を制御してなり、前記走査信号は、リセット期間に印加されるリセットパルスと、選択期間に印加される選択パルスとを少なくとも有し、前記走査電極が選択される毎に、前記データ信号が前記信号電極に供給され、前記複数の走査電極を複数のグループにグループ分けし、前記複数のグループを順次選択してなり、選択された前記グループ内の走査電極に対しては前記選択パルスをほぼ同時に印加し、当該選択パルスは選択期間内において間隔を空けて２分割され、互いに隣接するタイミングで順次選択される前記グループ同士は、先に選択されるグループの前記選択期間内の間隔に後で選択されるグループの２分割された前半の前記選択パルスが位置するように、前記選択期間同士が重なることを特徴とする。
また、対向する一対の基板間に液晶層を挟持してなる液晶装置の駆動方法において、前記液晶層は、液晶分子のねじれ角がΦである初期状態、前記液晶分子の配列状態がほぼΦ−１８０度である第１の安定状態、及び前記液晶分子の配列状態がほぼΦ＋１８０度である第２の安定状態、を少なくとも有し、一方の前記基板に形成された複数の走査電極に印加される走査信号と、他方の前記基板に形成された信号電極に印加されるデータ信号とにより、前記液晶層における配列状態を制御してなり、前記走査信号は、リセット期間に印加されるリセットパルスと、選択期間に印加される選択パルスとを少なくとも有し、前記走査電極が選択される毎に、前記データ信号が前記信号電極に供給され、前記複数の走査電極を複数のグループにグループ分けし、前記複数のグループを順次選択してなり、選択された前記グループ内の走査電極は、表示画面を複数のブロックに分割した各ブロックの中から選択されて構成されてなり、前記複数のブロックから各々選択されて構成される前記各グループ内の各走査電極には、リセット期間にほぼ同時にリセットパルスを印加し、選択期間には前記選択パルスをほぼ同時に印加してなることを特徴とする。
以上の本発明において、特に本発明の液晶装置の駆動方法の好ましい態様では、対向する一対の基板間に液晶層を挟持してなる液晶装置の駆動方法において、前記液晶層は、液晶分子のねじれ角がΦである初期状態、前記液晶分子の配列状態がほぼΦ−１８０度である第１の安定状態、及び前記液晶分子の配列状態がほぼΦ＋１８０度である第２の安定状態、とを少なくとも有し、一方の基板に形成された複数の走査電極に印加される走査信号と、他方の基板に形成された複数の信号電極に印加されるデータ信号とにより、前記液晶層の配列状態を制御してなり、前記走査信号は、リセット期間に印加されるリセットパルスと、選択期間に印加される選択パルスと、を少なくとも有し、前記走査電極が選択される毎に、前記データ信号が前記信号電極に供給されてなり、前記複数の走査電極を複数のグループにグループ分けし、前記複数のグループ内の走査電極に前記走査信号をほぼ同時に印加し、前記複数のグループを順次選択する
ことを特徴とする。
このような駆動方法にすることにより、複数の走査電極を同時に選択するいわゆるＭＬＳ駆動法を適用することで、遷移過程にある液晶分子に対し選択パルスの印加電圧と印加時間とを調節することが可能となる。従って、最適なスイッチング特性を引き出すことが出来る。
例えば、液晶装置に発生するフリッカーを抑圧するフレーム周波数（５０〜６０Ｈｚ）の範囲内で、同時選択する走査電極の本数を変えることで印加時間の長短を調節することが可能となる。
また、前記各グループ内の走査電極が２ｎ本（ｎは１以上の整数）であることが好ましく、特にグループ内の走査電極が４本であることが好ましい。
また、前記各グループ内の走査電極には、ほぼ同時に走査信号が印加されるが、個々の期間、すなわち、リセット期間にはリセットパルスがほぼ同時に各走査電極に印加され、前記選択期間においてはほぼ同時に選択パルスが印加される。
なお、選択期間に印加される選択パルスが直交関数に基づいて設定される。特にアダマール行列に基づいて設定することにより、各走査電極に糸引きなどの問題を解消することができる。
また、その選択パルスが、前記選択期間内において連続して印加されたり、選択期間内において分散して印加される。これは、第１の安定状態と第２の安定状態とを選択するための最適な駆動方法であり、タイミング、印加時間が適宜設定される。すなわち、液晶分子が垂直配向から２つの安定状態のうちのいずれか１つの安定状態に向けて動き出し、遷移が完了する間に選択パルスを印加すれば良く、この選択期間の間に適宜設定すればよい。
なお、選択期間のタイミングに合わせて遅延期間も設定する。すなわち、リセット期間と選択期間との間に遅延期間を設けることによって、最適なタイミングで液晶層に電圧を印加することができる。
この遅延期間は、選択期間を１Ｈとしたとき、ｎＨ（ｎは整数）で設定される。本願はこの様に遅延期間を設ける駆動方法としたことにより、遅延期間中に印加されるクロストーク電圧を抑制するという効果を有する。特に選択期間に印加される選択パルスを分散させた駆動方法とすることにより、電圧は間欠的に印加されることとなり、液晶に印加される電圧が抑制されることになる。従って、クロストークに関わる電圧が抑制され、クロストークの発生を防止することができる。
また、第１の安定状態及び第２の安定状態を選択する際、走査電極に印加される選択パルスの実効値は等しく設定されている。つまり、データ信号により第１の安定状態もしくは第２の安定状態が選択されるのである。
グループは、互いに隣接して配置された複数の走査電極により設定される場合、または任意に選択した複数本の走査電極により設定される場合、がある。どちらの場合も、各グループ内の走査電極に走査信号が同時に印加される。
なお、各グループを構成する前記任意に選択された走査電極は各ブロックから選択されてなる。
本発明では、実際に存在する複数の走査電極と想定した少なくとも１本の仮想電極とにより各グループが構成されてなり、仮想電極には複数の走査電極に印加される走査信号と同時に走査信号が印加されるものとして扱うことができる。
仮想電極を想定した場合の駆動方法は、各グループ内の仮想電極を含めた走査電極に走査信号を供給してなり、仮想電極のデータと表示データとを一致させるように設定する。このような駆動方法とすることにより、信号電極に印加されるデータ信号の電圧レベルを低減させることができる。
なお、このような液晶装置の駆動方法を用いた液晶装置を電子機器として搭載することもできる。
【図面の簡単な説明】
第１図は、本発明による４本の走査電極を同時に選択する時のコモン波形、および、データ波形の例を示したタイミング図。
第２図は、第１図に示した４本の走査電極を同時に選択する際に用いる１６通りのデータ波形図。
第３図は、本発明による２本の走査電極を同時に選択する実施例で用いたコモン波形図。
第４図は、第３図の選択期間のコモン波形、及び、データ波形、及び、これらの差分を示す波形図。
第５図は、本発明による選択パルスが分割されたときの、２本の走査電極を同時に選択する場合のコモン波形、及び、データ波形のタイミング図。
第６図は、本発明による選択パルスが分割されたときの、４本の走査電極を同時に選択する場合のコモン波形図。
第７図は、従来用いられていた液晶装置の駆動方法を示すのタイミング図。
第８図は、従来技術としてのＳＴＮ液晶パネル用ＭＬＳ駆動方法の例を示すタイミング図。
第９図は、本発明で用いる液晶装置の構成を示した図。
第１０図は、本発明の液晶装置の電極構成を示す図。
第１１図は、本発明の分散型の４本の走査電極を同時に選択する場合のコモン波形図。
第１２図は、本発明の一実施例であり、４本の走査電極を同時に選択する場合の波形をアダマール行列に基づいて設定したコモン波形を示す図。
第１３図は、第１２図のコモン波形に対応したデータ波形図。
第１４図は、デューティ比１／２４０の場合と、１／４８０の場合を比較したコモン波形のタイミング図。
第１５図は、４本の走査電極を同時に選択する場合の、走査の方向を示した３例の図。
第１６図は、本発明を実施する際の回路構成図。
第１７図は、本発明の液晶装置において、液晶分子の配列状態を示した図。
第１８図は、本発明の液晶装置をプロジェクタに用いた図。
第１９図は、電子機器に搭載した場合の構成図。
第２０図は、電子機器に搭載した場合の別の構成図。
第２１図は、本発明の液晶装置を反射モードで用い、プロジェクタに搭載した図。
第２２図は、各種電子機器に搭載した図。
[発明を実施するための最良の形態]
（発明の実施に用いる液晶セルの一般構造）
各実施例に用いた液晶層は、液晶に光学活性剤を添加したものである。液晶に光学活性剤を添加することによりヘリカルピッチが調整される。合わせて、液晶分子のねじれ角が調整される。
液晶材料はネマチック液晶を用い、例えば、E.Merck社製ZLI-3329を用いた。また、液晶に添加される光学活性剤として、例えば、E.Merck社製S-811のカイラル剤を用いた。これらの材料により、液晶のヘリカルピッチが３〜４μｍに調整される。
第９図に示すように、一対のガラス基板５、５上にはＩＴＯからなる透明電極４がストライプ状に形成され、その上にポリイミドからなる配向膜２が塗布されている。なお、第９図では電極上に平坦化層３が示されているが、平坦化層は省いてもかまわない。
それぞれの基板に形成された配向膜２に対してラビング処理が施されている。それぞれの基板に施したラビング処理は、液晶分子が初期状態において所定の角度Φをなすように施されている。なお、それぞれの基板に施したラビングによるラビング方向のなる角と、液晶分子のねじれ角とは多少のズレが生じる。一般的には、ラビング方向のなす角よりも液晶分子のねじれ角の方が小さい値となる。従って、液晶分子のねじれ角Φに対して、ラビング方向のなす角度がわずかに大きくなる。
前述したように、液晶分子のねじれ角がΦ（実施例ではΦをほぼ１８０度とした）となるようにラビング処理が施され、第９図のようにプレチルト角θとなるように基板に隣接して液晶分子１が配列される。
これらの一対の基板をシール材６によって接着し、液晶セルが作成される。液晶セルには、偏光板７が配置され、液晶装置が形成される。また、ガラス基板５、５の間にはスペーサが挿入されている。このスペーサーは、一対の基板の間隔を均一化するためのギャップ材として配置される。一対の基板を貼り合わせるシール材によって基板を均一に保持できるときはスペーサーを配置しなくてもよい。また、スペーサーはシール材の中に配置されたり、表示領域内に配置される。
そして、本明細書中では、一対の基板の間隔（すなわち、セルギャップ）を２μｍ以下に設定した。セルギャップを２μｍ以下に設定することにより、安定状態におけるメモリー性が向上すると共に、２つの安定状態の間のスイッチングを速くすることができる。なお、このように設定することにより本発明においては、液晶層厚／ねじれピッチの比は０．５±０．２の範囲に設定される。
第９図に示された構成に関し、電極部分の構成を詳細に示した図が第１０図である。第１０図に示されているように、一方の基板に形成されたストライプ状の電極（Ｍ）と他方の基板に形成された電極（Ｎ）に電圧が適宜印加され、マトリクス表示が行われる。本明細書においては、電極（Ｍ）を走査電極、電極（Ｎ）を信号電極、と定義し、以下に説明する。
本説明では、ＩＴＯなどからなる材料により電極を形成したが、反射型の液晶装置を形成する場合、一方の基板に形成する電極をアルミニウム、クロム、などの反射特性を有する材料により形成することが可能である。また、一方の基板の液晶層側とは反対側に反射層を形成することによっても反射型の液晶装置を形成することができる。
（液晶の配列状態）
液晶分子の配列状態を示した図が第１７図である。第１７図のように、本発明の液晶装置における液晶分子の配列状態は少なくとも４つの状態をとる。４つの状態とは、第１７図に示した通り、初期状態、リセット状態、第１の安定状態、及び第２の安定状態である。
初期状態とは、一対の基板間に挟持された液晶層に電圧を印加する前の状態を言う。もしくは、液晶分子のねじれ角がΦの状態を言う。ねじれ角Φとは、具体的には、液晶分子のねじれ角がほぼ１８０度ねじれた状態である。
なお、第１７図は、一対の基板間に挟持された液晶層の中の液晶分子の配列状態を模式的に示したものである。したがって、基板に隣接する液晶分子は本来第９図に示されているように所定のプレチルト角（θ）を有する。プレチルト角はほぼ１度〜１０度の範囲で適宜設定される。第１７図では模式的に示しているため、液晶分子を平行に表わす。
次に、リセット状態とは、液晶層の中の液晶分子が基板平面に対しほぼ垂直に立った状態を言う（第１７図参照）。後述するように、リセット状態はリセット期間に電圧を印加することにより乗じる。その際。走査電極にはしきい値以上のリセット電圧が印加される。また、リセット状態とは、フレデリクス転移が生じた状態である、とも言える。従って、液晶層をリセット状態とするためには、液晶層にフレデリクス転移を生じさせるための電圧を印加しなければならない。
なお、一対の基板間の液晶分子の全てがほぼ垂直に配列するわけではない、ことを補足する。つまり、基板に隣接する液晶分子は必ずしも基板に対して垂直に立つ、というわけではない。一般的には、基板間のほぼ中央部に位置する液晶分子がほぼ垂直方向に配列した状態を、本明細書ではリセット状態と言う。
次に、第１の安定状態は、選択期間に電圧を印加することによって得られる。このとき、走査電極には選択パルスが印加される。第１の安定状態は所定期間メモリー性を有し、その状態を保持する性質を有する。そして、第１７図のように液晶分子はほぼ同じ方向に配列する。なお、ここでは液晶分子のねじれ角がΦ−１８０度である。具体的には、液晶分子のねじれ角はほぼ０度である。
一方、安定状態として第１の安定状態とは異なる第２の安定状態が存在する。第２の安定状態も選択期間に電圧を印加することにより得られる。第１の安定状態と同様に、所定期間のメモリー性を有する。第２の安定状態における液晶分子のねじれ角はΦ＋１８０度である。具体的には液晶分子のねじれ角はほぼ３６０度である。
第１の安定状態と第２の安定状態との選択は、液晶層に印加される電圧の値により決定される。基準は臨界値である。臨界値を基準として、液晶層に印加される電圧が臨界値より低い場合はΦ＋１８０度（ほぼ３６０度ねじれ状態）が選択され、高い場合はΦ−１８０度（ほぼ０度状態）が選択される。この臨界値は液晶セルの特性によって異なり、また臨界値はそれ自体に幅を持つ場合もある。
また、第１の安定状態及び第２の安定状態におけるメモリー性は、有限であり、わずかな時間しかその状態を保持することができない。第１の安定状態及び第２の安定状態は、その後初期状態に自然に緩和される。すなわち、ねじれ角がΦ（ほぼ１８０度）となる。
（発明に用いる代表的駆動波形の例）
本発明による駆動波形を第１図に示す。なお、従来の駆動波形を示した第７図、第８図と本願の駆動方法とを比較しながら相違点を明確にする。
第１図は本発明による駆動方法を示した図である。そして、この第１図は、４本の走査電極を同時に選択する場合の駆動波形を示したものある。
第１図では、複数の走査電極（Ｍ、Ｍ＋１、Ｍ＋２、Ｍ＋３、Ｍ＋４．．．）にそれぞれ走査信号が順次印加され、そして複数の信号電極（Ｎ、Ｎ＋１．．．）にデータ信号が印加される駆動方法である。なお、走査電極（行電極）、及び信号電極（列電極）は複数存在するものであり、図示した走査電極及び信号電極の構成に限定されるものではない。
走査信号は、リセット期間に印加されるリセットパルスと、選択期間に印加される選択パルス、とを少なくとも有する。なお、非選択期間には非選択信号が印加される。
本発明による液晶装置の駆動波形を以下に詳細に説明する。
走査電極（Ｍ、Ｍ＋１．．．）には、リセット期間８においてリセットパルスが印加される。なお、リセットパルスは従来例のようにジャイアントパルスとも言う。本実施例では、４本の走査電極を同時に選択する駆動方法であるため、Ｍ、Ｍ＋１、Ｍ＋２、Ｍ＋３という４本の走査電極にリセットパルスがほぼ同時に印加される。なお、リセットパルスは図のように所定のリセット電圧を有し、後述するようにリセット電圧はほぼ２０Ｖ前後の電圧を有する。そして、第１図のＭという信号にはリセットパルスが示されているが、その他のＭ＋１、Ｍ＋２、Ｍ＋３、Ｍ＋５という走査電極に印加する走査信号には、リセットパルスが省略して記載されている。しかし、Ｍという走査電極に印加される走査信号のリセットパルスと同じパルスが、Ｍ＋１，Ｍ＋２、Ｍ＋３の走査電極にも印加されることを補足する。同様に、Ｍ＋４以降の走査電極にも、走査電極（Ｍ）に印加されるリセットパルスと同等のパルスが印加される。
従来例を示した第７図の駆動方法は、線順次に走査電極が選択される駆動方法である。従って、従来技術では、走査電極が線順次に走査され、順次リセットパルスが印加される。
しかしながら、本願の駆動方法は、第１図に示されているように、複数の走査電極に（本説明では４本の走査電極）に同時にリセットパルスが印加される駆動方法である。したがって、複数の走査電極が同時に選択される本発明の駆動方法と、線順次に走査電極が選択される従来例とは異なるものである。
第１図に図示されているように、リセット期間８にリセットパルスが印加された後、遅延期間９となる。遅延期間では図のような電圧がグループ内の各走査電極に印加される。この電圧とは基準電位（Ｖｃ）である。図示していないが、遅延期間に印加される電圧はしきい値を越えない電圧であればどのような電圧でも問題はない。
したがって、しきい値を越えない範囲で、非選択期間に印加される非選択信号と同様な信号が印加される駆動方法を採用することも可能である。
また、遅延期間の後、選択期間１０において第１の安定状態もしくは第２の安定状態が選択される。選択期間は、第１の安定状態と第２の安定状態とを選択するに最適なタイミングに設定される。すなわち、前述の遅延期間をリセット期間と選択期間との間に設けることによって、最適なタイミングで選択期間が設定されるわけである。
遅延期間９においては、同時に選択される走査電極にほぼ同時に電圧が印加される。同様に、選択期間１０においても、グループ内の各走査電極に選択パルスがほぼ同時に印加される。
例えば、第１図のように、選択期間に印加される選択パルスは４本の走査電極にほぼ同じタイミングで印加される。そして、４本分の走査電極をアクセスするために、４Ｈ期間に相当する選択期間が当てられている。
また、Ｍ、Ｍ＋１、Ｍ＋２、及びＭ＋３という４本の走査電極には、それぞれ互いに波形の異なる選択パルスが印加される。これは、グループ内の各走査電極に印加される選択パルスの波形を異ならせることにより、グループ内の各走査電極（この場合、Ｍ〜Ｍ＋３という４本の走査電極を言う）の間で生じる糸引き現象を解消することができる。
本発明の駆動方法では、Ｍ〜Ｍ＋３という４本の走査電極を有する第１のグループが選択された後、そのグループに引き続いて、Ｍ＋４〜Ｍ＋７という４本の走査電極を有する第２のグループが選択される。このように４本の走査電極によりグループを構成し、各グループが順次選択され、各走査電極に走査信号が印加される。
なお、前説明では、４本の走査電極によりグループを構成し、グループを順次選択する駆動方法を採用した。しかし、本発明は、この説明のように、同時に選択される走査電極の本数は４本に限られるものではない。グループを構成する走査電極の本数が２本以上であれば、どのようにグルーピングをしても問題はない。ただし、複数本の走査電極を同時に選択する駆動方法は、同時に選択する走査電極の本数が増えるほど駆動回路の設計が複雑となり、設計上の問題の問題が増すことになる。更に、消費電力も増えるという問題がある。これらの点を考慮して、グループ内の走査電極の本数は偶数本が望ましく、特に好ましくは４本が好ましい。
また、選択期間を４Ｈ分の時間を確保し、時間的に４Ｈずつタイミングをずらして各グループが選択される駆動方法を先に説明したが、この選択期間の設定は４Ｈに相当する期間に限定されるものではない。選択期間の長さは適宜設定されるものであり、Φ−１８０°の状態とΦ＋１８０°の状態とを選択する最適なタイミングと時間で選択期間が設定されれば、どのように設定してもよい。
更に本説明においては、走査電極が配列された順序にしたがってグループ分けをしたが、ランダムにグループ分けをしてもよく、また所定の周期（例えば、１本目、５本目、９本目、１３本目）にしたがってグループ分けをしてもよい。
最後に、選択期間の後に非選択期間１１では、非選択信号が図のように印加される。すなわち、非選択期間に印加される電圧は基準電位（Ｖｃ）である。なお、非選択信号はしきい値を越えない電圧値であればどのような値にでも設定することができる。
走査信号の波形に関し、本発明と従来技術を示した第７図とを比較する。
従来技術との違いは、▲１▼選択期間の取り方、▲２▼各走査電極に印加される波形、に有ることがわかる。
すなわち、▲１▼に関して、本発明は、複数本（例えば４本）の走査電極に印加される走査信号はほぼ同時に印加されている、のが特徴である。特に、選択期間１０において、各走査電極にはほぼ同時に選択信号が印加されている。
そして、▲２▼に関して、本発明は、各走査電極に印加される選択信号が各走査電極毎に区別がつくように、互いに異なった波形である、ことが特徴である。これは糸引きという問題を解消するために有効である。
一般的に説明すると、走査電極に印加される走査信号は以下のように印加される。
すなわち、複数の走査電極をＰ個のグループにグループ分けし、各グループが順次選択される。そして、各グループ内の走査電極には、走査信号がほぼ同時に印加される。特に選択期間に印加される選択信号は、グループ内の走査電極にほぼ同時に印加される。そして、選択信号は各走査電極毎に異なる波形であることを特徴とする。より好ましくは、同時に選択される走査電極に印加される選択信号を示した行列式が「直交性」を示すように設定することが好ましい。
このように選択信号が設定されることにより、各走査電極毎の「糸引き」、「ちらつき」、という表示不良を防止することができる。
また、第８図には、従来のＳＴＮ型液晶パネルの駆動方法を示した図が記載されている。なお、ＳＴＮ型液晶パネルとは、液晶のねじれ角が１２０度以上のいわゆるスーパーツイストネマチック液晶を用いた液晶パネルのことを示す。第８図から明らかなように、従来のＳＴＮ型液晶パネルの駆動方法は、１フレーム内に選択期間を等間隔に分散させた駆動方法である。
そもそも、本願の基礎とする駆動方法とＳＴＮ型液晶パネルの駆動方法とは、▲１▼リセットパルスが印加される点、▲２▼遅延期間の後、選択パルスが印加される点、で異なり、また液晶分子の配列状態も第１７図に示されているように全く異なるものである。
特に、駆動方法に着目して、本発明の駆動方法と、第８図に示されているＳＴＮ型液晶パネルの駆動方法とを比較すると以下のような相違点が挙げられる。
すなわち、従来のＳＴＮ型液晶パネルの駆動方法は、１フレーム内で複数の選択期間を等間隔に分割（もしくは分散）しているのに対し、本発明の駆動方法は１フレーム内に選択期間を分散させるような駆動方法はとっていない。本願の駆動方法は、選択期間１０内において、集中的、あるいは、短時間内に印加する集合型であるという点で大きく異なる。
このような相違点は、本発明に用いる液晶装置が、リセットパルスに続く遅延期間後の選択期間内において、パルスによる応答と実効値による応答とを兼ね備えた挙動を示す液晶装置であることに由来する（これを、以下では「パルス＋実効値応答的挙動」という）。即ち、本発明に用いる液晶装置は一定期間内に入る時間帯で、実効値が変わらなければ印加パルスを複数に変換することが可能である。従って、前記例のように４本の走査電極に印加される選択パルスを選択期間内において集中的に印加しても良く、また、後述する実施例のように印加パルスの間を多少空けても同じ表示効果が得られる。
さらには、ここで適用できる選択期間に印加される選択パルスは、前記した直交正規系の性質を有する波形もあり、その選択配置は任意である。ちなみに、この遅延期間後の一定期間は、室温で安定状態に入るまでの応答４ｍｓ以内と考えられている。
一方、信号電極Ｎ，Ｎ＋１等に印加されるデータ信号は、第１図の通りである。走査信号を印加した４本の走査電極（行電極）と交差する各１本の信号電極（列電極）における表示状態（ＯＮ／ＯＦＦの組み合わせで１６通りある）に従って、選択パルス（４Ｈ期間）に対応した１６通りの電圧波形が現れる。そして、次々とデータ信号が連続して各信号電極に印加される。なお、これら駆動波形の交流化はフレームごとの反転であっても良く、また、１フレーム内で数Ｈ（１Ｈは１ラインの最少選択時間に相当）から数１０Ｈごとに行っても良い。
さらには、本発明では発明の理解を早めるために、最も単純な基準電位（Ｖｃ：例えば、電圧ゼロ）を対称線とする正負の波形で示したが、非選択電圧を低電圧側と高電圧側で交互に変え、液晶層に印加される差分波形で結果的に第１図と同一となる揺さぶり電源を用いた駆動波形にも適用可能である。
（実施例１）
１２０行×１６０列のマトリクスからなる液晶装置を作成し、第１図に示した駆動波形に基づいて４本の走査電極に同時に走査信号が印加される駆動方法を適用した。Ｍ、Ｍ＋１，Ｍ＋２、Ｍ＋３からなる４本の走査電極には、第１図に示したような走査信号が印加される。
走査電極に印加される走査信号は、リセット期間（Reset 8）に印加されるリセットパルス（もしくはリセット信号という）と、遅延期間（Delay 9）に印加される遅延信号（もしくは非選択信号）と、選択期間（Select 10）に印加される選択パルス（もしくは、選択信号と言う）と、非選択期間（Non-Select 11）に印加される非選択信号と、からなる。なお、以下の実施例において、各期間の説明は同じである。
走査信号が印加されるタイミングはグループ内の全ての走査電極においてほぼ同時である。本明細書においては、多少ずれて走査信号が印加される場合も含めて「ほぼ同時」とする。また、本実施例においては、各走査電極に印加される走査信号はそれぞれ波形が異なる４通りの信号とした。
Ｍ〜Ｍ＋３からなる４本の走査電極からなるグループが選択された後、Ｍ＋４以降の走査電極についても同様に、４本の走査電極ごとに走査が順次行われる。このように各グループが順次選択され、全ての走査電極の走査が終了することになる。
一方、信号電極（列電極）に印加されるデータ信号は、４本の走査電極に相当する画素の表示状態に応じて、第２図に示した様な１６通りの信号からなる。ちなみに、第１図と第２図の組み合わせにより、液晶層に印加される電圧の実効値は最大のＯＮ／ＯＦＦ電圧比をとることができる。
液晶装置の駆動方法は１／２４０デューティ駆動とし、１Ｈ時間７０μｓ、フレーム周波数６０Ｈｚとした。他の諸条件は以下の通りである。リセット電圧：２１Ｖ，選択電圧：３．５Ｖ、または、リセット電圧：２４Ｖ、選択電圧：４．０Ｖの組みとして、データ基準電圧Ｖｂを１．３Ｖ付近で増減させた（データ電圧は±Ｖｂ，±０．５Ｖｂ、０の５レベル）。正常テストパターンが得られる可変範囲を駆動電圧マージンΔＶとして測定した。テストパターンには、１）白黒の格子パターン、２）１行ごとのＯＮ／ＯＦＦが繰り返される横縞パターン、３）１列ごとのＯＮ／ＯＦＦが繰り返される縦縞パターン、という３種を用意した。表示結果、３パターン共に正常表示が可能であり、パターン依存性が見られたが第７図に示した従来法と同等以上のマージンが得られた。
次に、駆動条件を上げて、デューティ比１／４８０、１Ｈ時間３５μｓに短縮し従来法と比較したところ、この場合も従来法と同等、または、パターンによってはそれ以上の駆動マージンが得られた。
（実施例２）
第３図は、別の駆動方法を示した図である。すなわち、各グループが２本の走査電極により構成され、各グループが順次選択される、駆動方法とした。各グループ内の２本の走査電極には同時に走査信号が印加される。
そして、前述の実施例１に記載した４本の走査電極が同時に選択される駆動方法と同じように、リセット期間８にリセットパルスが走査電極に印加され、リセット期間の後の遅延期間９を経た後、選択期間１０において選択パルスが印加される。選択期間１０では、２本の走査電極が同時に選択されるための異なる２種の選択パルスが走査電極に与えられる。
これに対応して、第４図に示した４種のデータ信号ａ〜ｄが表示内容に応じて信号電極に印加される。なお、第４図では、選択期間に印加される走査信号をＣＯＭselectとして表し、信号電極に印加されるデータ信号をDataとして表し、画素の合成波形をＣＯＭ-Dataとして表している。
本実施例における液晶セルは、実施例１と同じ１２０×１６０の単純マトリクス型の液晶セルとした。駆動デューティ比は１／２４０である。駆動波形の波高値、その他の諸条件は実施例１と同様とした。ただし、データ信号の基準電圧Ｖｂは１．８Ｖを中心に増減させた。この駆動波形にて実施例１同様、３種のテストパターンを表示したところ、いずれのパターンにおいても従来法を凌ぐ１４０％から２００％の駆動電圧マージンを得た。
（実施例３）
本実施例においては、第５図のような駆動方法を採用した。すなわち、２本の走査電極が同時に選択される駆動方法という点では前述の実施例２に示した駆動方法と同じである。実施例２と異なる点は、選択期間に印加される選択パルスが２つに分けられ、パルスとパルスとの間に１Ｈ以上の間隔を設ける、という点である。本明細書では、この場合の駆動方法を、選択電圧を分割して印加する「split型」と呼ぶ。
また、データ信号は各選択期間のタイミングに合わせ信号電極に印加される。そして、選択期間に対応するタイミングで、前記選択パルスに合わせて２分割のデータ信号が信号電極に印加される。
本実施例において、基本となる波形は第４図に示したものと同じである。また、駆動電圧の諸条件は実施例１、２と同じとした。結果は１／２４０駆動において全てのパターンに対し十分な駆動マージンを示し、従来法を凌いだ。特に、従来法の苦手パターンである縦縞については、従来の駆動方法よりも４倍以上のマージンが確保され、安定した駆動方法であることが確認された。
次に、本実施例で用いた液晶パネルを、デューティ比１／４８０で駆動したところ、従来の駆動方法と同等以上の駆動マージンが得られた。特に、前述のような３パターンを共通に駆動可能とする電圧範囲では従来法に優った。
（実施例４）
本実施例では、第６図に示すような駆動方法を用いて液晶装置を駆動した。
第６図に示すように、本実施例では４本の走査電極に走査信号が同時に印加される駆動方法を採用した。この駆動方法は前述の実施例１と同じである。実施例１と異なる点は、選択パルスを分割して印加している点にある。本実施例では、第６図に図示されているように、選択パルスの中央に２Ｈの間隔が設けてある。すなわち、「Split」タイプの駆動方法とした点で前述の実施例１と異なるのである。なお、実施例３とは４本の走査電極を同時に選択する駆動方法、という点で異なる。
このように、本実施例では選択パルスが分割して印加された「split型」とした。選択パルスが分割されて走査電極に印加されるのに合わせて、データ信号もそれぞれの選択期間のタイミングを合わせ２分割にしたパルスが印加される。すなわち、第１図または第２図に記載されたデータ信号の波形が、第６図に示された分割された選択パルスに応じて、分割されて信号電極に印加される。
駆動デューティ比は１／４８０とし、他の諸条件は実施例１と同様とした。本実施例による駆動方法を用いて液晶装置を駆動させたところ、３種いずれのパターンにおいても実施例１の場合を凌ぐ駆動マージンを示した。
（実施例５）
本実施例の駆動方法を第１１図に示す。この駆動方法は、第１図に示した駆動方法を改良したものである。すなわち、４本の走査電極が同時に選択され、選択期間に印加される選択パルスが複数の期間に分割されて印加される駆動方法である。第１１図の様に選択期間内で選択パルスを分散させた駆動方法は、前述の実施例３、及び実施例４にも関連するものである。
説明の便宜上、分散の度合いを示す指数としてｍを用いる。すなわち、ｍ＝１は第１図の状態であり、選択パルスが集中的に印加される駆動方法である。または、選択パルスが分散されていない駆動方法である。ｍ＝２の状態が第１１図である。すなわち、選択パルスを分散させ、所定の間隔（ここでは１Ｈ）を設けてパルスを印加するものである。ｍ＝３の場合は、各選択パルスの間が２Ｈずつ設けた駆動方法である。そして、ｍが増加するにつれ、選択パルスの間に設ける間隔は広がるように設定する。
なお、データ波形は選択波形の分散に同期して、第２図の波形を分散させて信号電極に印加すればよい。
このような駆動方法に基づいて前述の実施例と同様に、デューティ比１／２４０で液晶装置を駆動した。そして、分散の度合い（ｍ）をｍ＝１〜４に変えてマージンを比較した。結果は、ｍ＝２（すなわち、パルスの間を１Ｈに設定する）の場合が３パターン共にマージンが最高となり、ｍ＝４が最低の結果となった。すなわち、選択パルスを必要以上に分散させると、本実施例で用いる液晶装置の表示にとっては逆効果であることがわかる。そして、遅延期間後の選択パルスの印加には最適印加時間帯があることが分かる。ちなみに、効果的な時間帯としてはリセットパルスが印加されてから１〜２ｍｓの短い時間である。
ただし、選択期間において選択パルスが分散され、走査電極に印加される効果は前述のようにあるため、各液晶装置に応じて便宜分散の度合いを設定することにより、優れた表示特性を有する液晶装置が得られる。
（実施例６）
本実施例において、走査電極に印加される選択パルスを第１２図に示す。本実施例は４本の走査電極が同時に選択される駆動方法を採用した。走査電極に印加される選択パルスは第１２図の通りであり、直交関数行列に基づいて選択パルスが設定されている。すなわち、第１２図では、同時に選択される４本の走査電極に印加される選択パルスが示されているが、これを行列式として表すと以下のようになる。なお、第１２図の波形について、横線で示した基準電位（Ｖｃ）を基準として正側を１、負側を０として表した。
すなわち、
0003689781.tif 000002
となる。
詳細に説明すると、走査電極の１行目に印加される選択パルスの行列は（１１１１）となる。第１２図に示したパルスが、グループ内の走査電極の１つに印加される。２行目の行列、３行目、４行目については第１２図及び前述の行列式の通りである。
このように、本実施例ではアダマール行列からなる行列に基づいて選択期間に印加される選択パルスを設定した。なお、本実施例では４本の走査電極を同時に選択する駆動方法であるため、このような４行４列からなる行列式とした。このようなアダマール行列に基づいて選択パルスに対応するデータ波形は第１３図となる。
なお、同時に選択される走査電極の本数によってこの行列式は変化する。例えば、Ａ行Ｂ列の行列式に基づいて選択パルスを設定することが可能である。なお、ここでＡは同時に選択する走査電極の本数を示し、Ｂはパルスの数、もしくは選択期間を分割する数、を示す。
本実施例における駆動方法は実施例１の場合と同様とし、駆動デューティ比１／２４０とした。そして、前記３種のテストパターンを表示したときの駆動電圧マージンを測定した。マージンはいずれのパターンにおいても従来法を凌いだ。また、アダマール行列に基づいて選択パルスを設定したことにより、これまでの最良のマージンと表示特性を得た。
本実施例ではアダマール行列に基づいて選択パルスを設定したが、アダマール行列に限定されるものではなく、一般的な「直交関数」に基づいて設定することもできる。また、基本的にグループ内の各走査電極に印加される選択パルスが互いに異なるように設定することにより、走査電極間において糸引きがなく表示特性に優れた液晶装置が得られる。
また、前述のようなアダマール行列に限定されるものではなく、一般的な直交関数も用いることができることは先にも述べた。その中でも、以下のように行列式を設定すると特に好ましい。
すなわち、
0003689781.tif 000003
とした。
つまり、行列式の中で列方向に着目し、第１の列は上から（０１１１）となっている。このように、１つの行に印加される電圧の極性を他の行に印加する電圧の極性と異ならせる。更に、第１列ばかりでなくその他の第２、第３、及び第４列についても同様に設定する。このように行列式を設定することにより、選択パルスに基づく表示の不良を解消することができる。なお、極性に関しては、第１１図や第１３図に示されているように基準電位（Ｖｃ）に基づいて正側及び負側を設定している。基準電位は非選択期間に印加される非選択信号であるとも言える。この基準電位については前述及び後述する各実施例について同様に扱う。
また、本実施例は４行４列の行列式に基づいて説明したが、これに限定されるものではなく、一般的にＡ行Ｂ列という一般式に対応して設定することができる。
（実施例７）
本実施例における駆動方法の概念を第１４図に示す。特に第１４図（ａ）は実施例６の場合の変形例である。すなわち、第１４図（ａ）は、選択期間を分散させたタイプの駆動波形を示したものである。
分散の度合いは、前述の定義にしたがいｍ＝２とし、選択期間に印加される各選択パルスの間隔を１Ｈずつ空けたものである。このとき、信号電極に印加されるデータ信号はこの選択波形に合わせ、分散させた波形とする。なお、データ信号は、第１３図に示した波形と同様のものとし、分散された選択パルスの波形に基づいて波形を分散させたものとした（なお、図面には図示しない）。
このような駆動方法に基づいて液晶装置を駆動したところ、選択期間内において分散させた選択パルスを印加したことにより表示特性に優れた液晶装置が得られた。そして駆動マージンも最高のものが得られた。なお、駆動方法は基本的に前述の実施例と全く同じ方法に依った。そして、デューティ比は１／２４０駆動とし、前述の３種のパターンについても実施し、好ましい結果を得た。
一方、デューティ比を１／４８０として液晶パネルを駆動した際、デューティ比が１／２４０のときより選択期間の長さが半分となるので、第１４図（ｂ）のようになる。
このような駆動方法では、選択パルスが印加されるタイミングを１／２４０と同一にする目的で、各選択パルスの間を３Ｈずつ空けた駆動方法が好適であることがわかった（なお、この場合の分散の度合いはｍ＝４となる）。駆動マージンはパルス幅の減少が影響し、１／２４０駆動時には劣るが従来法よりは優った。
本実施例における選択パルスは、第１４図のように分散させて走査電極に印加されるが、第１４図は分散させる点を象徴的に示した。したがって、グループ内の走査電極には前述の実施例１や４などのような選択パルスが印加される。このような選択パルスに基づいて、第１４図のように選択パルスを分散させることにより本実施例では表示特性の優れた液晶装置が得られる。選択パルスの行列は各走査電極に印加される選択パルスが異なる波形であればどのような波形でもよいが、特に好ましくは、前述の実施例６のようにアダマール行列や直交関数に基づいて設定した行列により選択パルスを設定することが望ましい。
（実施例８）
本実施例は、４本の走査電極を同時に選択する場合の変形例を示す。すなわち、３本の走査電極を同時に選択する場合についての実施例である。
本実施例では、４本の走査電極が同時に選択される場合の考え方に基づいて、３本の走査電極を同時に選択する場合の駆動方法を実現した。
本実施例における駆動方法の基本的な考え方は以下の通りである。
複数の走査電極を複数のグループにグループ分けする点は前述の実施例の通りである。すなわち、複数本毎にグルーピングします。各グループ内の走査電極は本実施例においては３本に設定し、且つ各グループ毎にそれぞれ仮想電極を設定します。そして、仮想電極と実際の走査電極とを合わせて４本の走査電極として、各走査電極に走査信号を印加します。本来、仮想電極は存在しない電極であり、仮に存在するものとして仮定した電極であります。その仮想の電極に走査信号を仮に印加したものとして扱います。
このように、仮想電極を各グループ毎に設定し、走査信号を仮想電極に仮に印加したものとして扱うことにより、見かけ上４本の走査電極を同時に選択する駆動方法と同じ駆動方法により液晶装置を駆動することができる。
また、このような駆動方法を採用することにより、信号電極に印加するデータ信号の電圧レベルを少なくすることができる。すなわち、選択パルスと表示状態とを比較する際、仮想電極に印加されるパルスと仮想電極上の表示状態とが一致しているものとして扱うことにより、一致／不一致の数を低下させることができ、一致／不一致の数に基づいて決定されるデータ信号の電圧レベルを結果的に少なくすることができる、という効果を有する。
なお、前述の説明では仮想電極を１本想定した構成で説明をしたが、２本以上設定してもよい。そして、仮想電極を含めて、同時に選択される走査電極の本数も４本に限定されるものではない。すなわち、実際に存在する走査電極は複数本に設定し、仮想電極は少なくとも１本設定し、これらを合わせてグループとして設定すれば、どのように設定しても問題はない。
以下に、本実施例の駆動方法について具体的に説明をする。
先に示した第１図（実施例１対応）を用いて説明する。第１図では走査電極に印加される走査信号について図示されている。図示されているように、Ｍ、Ｍ＋１、Ｍ＋２、ｍ＋３という走査電極にそれぞれ走査信号が印加されている。この場合、Ｍ、Ｍ＋１、Ｍ＋２に相当するのが実際に存在する走査電極であり、図のようなパルスが印加される。そして、本実施例の場合、Ｍ＋３という走査電極は仮想電極として扱われ、図示されているようなパルスが仮想電極に印加されているものとする。
このように、実際に存在する３本の走査電極と１本の仮想電極とから構成される各グループが順次選択され、各グループ内の仮想電極を含む走査電極に同時に走査信号が印加される。
また、この時、信号電極に印加されるデータ信号は第２図に示す通りである。図示されているようなデータ信号を印加することにより、液晶装置のオン状態もしくはオフ状態を選択することができる。
なお、図示されている（０００１、００１０、０１００、０１１１、１０００、１０１１、１１０１、１１１０）の組か、（００００、００１１、０１０１、０１１０、１００１、１０１０、１１００、１１１１）の８通りの組合わせを用いれば、データ信号の出力電圧は２レベルまたは３レベルに簡単化できる。
前実施例と同様に、３パターンでマージンを測定したところ、データ波形の組としては３レベルの組み合わせの方がよい結果を得た。しかし、２本の走査電極が同時に選択されるsplit型との比較では、マージンはそれ以下となり好適とは言えなかった。その原因は３本の走査電極が同時に選択される駆動方法の場合、仮想電極が入るためデューティ比１／２４０の駆動であっても、実質１／３２０と等価になり、１ライン当たりの選択期間は３／４に減少する。すなわち、印加されるパルスの幅の減少がマージン低下につながることが分かった。
なお、本実施例においては第１図及び第２図に示すような波形に基づいて液晶装置を駆動したが、走査電極に印加される走査信号は第１図に限定されるものではなく、直交関数に基づいて選択パルスを設定してもよい。
更に、前述の実施例でも説明したように、第１４図のように分割された選択パルスが選択期間に印加される駆動方法を本実施例に用いても実施可能である。
（実施例９）
本実施例における駆動方法を第１５図に示す。この図を、本願の代表的な駆動方法を示した第１図を例にとって説明する。第１図の様に、４本の走査電極毎にグループ分けし、各グループが順次選択される方法において、いくつかのバリエーションを検討した。それが第１５図（ａ）〜（ｂ）に示す走査方法である。
第１５図（ａ）は、隣接する４本の走査電極毎にグループ分けし、順次各グループを選択する駆動方法を示した図である。前述の全実施例のように液晶装置の表示画面の上から下方へ走査することを前提に考え出された駆動方法である。なお、第１５図（ａ）の網線で図示した部分は、同時に選択される走査電極を示す。本実施例では表示画面の上から下へ走査する駆動方法を説明したが、逆に下から上へ走査する、駆動方法も全く同じことである。また、本実施例では同時に選択される本数は４本に限定されるものではなく、選定される本数はどのような数に設定してもよい。
第１５図（ｂ）は、液晶装置の表示画面を４つのブロックに分け、それぞれの４つのブロックの中の１本の走査電極が選択され、ブロック毎に１本ずつ走査電極を順次走査をする駆動方法を示した図である。ちなみに、各ブロックにおいて選択された走査電極によりグループが構成される。つまり、１ブロックの中の一走査電極、２ブロックの中の一走査電極、３ブロックの中の一走査電極、４ブロックの中の一走査電極、という４本の走査電極によりグループが構成される。同時に選択される走査電極の本数に応じて、このブロックは設定される。
第１５図（ｃ）は、（ｂ）の変形であり、各ブロックの走査方向を互い違いに下方と上方にしたものである。すなわち、図示されている上の方のブロックを１ブロック、そして最も下のブロックを４ブロックとしたとき、１ブロックと３ブロックは表示画面の上側から走査を行い、２ブロックと４ブロックは表示画面の下側から走査を行うという駆動方法である。
なお、本実施例で示した第１５図において、各図は表示画面を表し、図面の上側を表示画面の上側と設定し、以上の様に説明をした。
このような３種類の走査方法に基づいて液晶装置を駆動させた。結果は、３者共に表示特性に差違がないことを確認した。すなわち、表示のライン走査のやり方に制限は無いことが確認できた。一方、表示以外の効果として、第１５図（ｂ）のような走査方法を採用することにより、液晶装置の駆動時に発生する音の低減が認められた。これは励起される液晶が、装置内で分散されていることが良いことを示している。
（実施例１０）
第１６図は、本発明の液晶装置の構成を示した図である。本実施例では、２４０×３２０の表示容量を有する液晶表示体１２を点灯させるための駆動回路の構成例を示した。表示容量がこれより大きい場合には、この構成を拡張するものとする。
映像信号は一旦フレームメモリ１３に、各水平ラインに対応した画像データとして蓄えられた後、同時に選択される複数の走査電極の列方向のデータがパラレルに列番号の若い方からＳＥＧデータ信号変換器１４にインプットされる。例えば、４本の走査電極が同時に選択される駆動方法であれば、４行分の４ビットのデータが、パラレルに列番号の１から３２０まで順次転送される。
一方、行走査信号基本パターン発生器１５は、第１図あるいは第１２図に示したような走査信号（ＣＯＭ波形）の基本になる行列を発生するためのものである。
データ信号変換器１４では、フレームメモリ側からのパラレルのシグナルを受け取ると、このデータパターンと同時に読み込んだ選択パルスのパターンから、ＲＯＭテーブルより実際に印加されるデータ信号の電圧レベルの順位数（例えば、第２図、あるいは、第１３図のような波形の０から４の数値）が出力される。
この結果を複数のラインメモリ１６（４本の走査電極が同時に選択される時は４水平走査分）に蓄え、同時に選択される走査電極に印加される信号の全てが変換されたところで、今度は１行分ずつパラレルにＳＥＧ出力コントローラ１７に出力される。
一方、行走査信号基本パターン発生器１５からの信号は、シフトレジスター１８において第１５図の（ａ），（ｂ）、（ｃ）のどの走査方法を取るかに応じて加工がなされる。
例えば、４本の走査電極が同時に選択される駆動方法では、第１５図（ａ）のような走査の場合には、基本パターン発生器１５からの４ビットの選択パルスを、２４０チャンネルのシフトレジスターの最初の４ビットのレジスターで受け取ると、それを次のタイミングで他の空のレジスターも含め、２４０チャンネル分同時にＣＯＭ出力コントローラ１９へ渡して行く。これを４回繰り返し、分散された４つの選択期間のデータ受け渡しが終わると、今度はレジスターのアクセス位置を４チャンネル分シフトし同じ動作を繰り返す。これを６０回繰り返すと、２４０行・１フレーム分の動作が終了する。
また、走査パターン第１５図（ｂ）、あるいは、第１５図（ｃ）の場合は、選択波形のパターン４ビットを受け取るレジスターの位置を１ビットずつ４グループに分散させ、受け取りレジスターのシフト方向を上方向または下方向に選択すればよい。
また、液晶表示のＯＮ，ＯＦＦ制御には選択波形に先立って第１図に示したリセットパルスが必要であるので、リセットパルス用シフトレジスタがもう１系列用意される。これはリセットの持続期間をＣＯＭ出力コントローラ１９へ出力していく。
さて、このようにして２４０行、３２０列分のデータがシフトレジスターあるいはラインメモリに準備されると、これらの内容は１水平走査時間のクロックによってＣＯＭ出力コントローラー１９、あるいは、ＳＥＧ出力コントロラー１７へ同時に引き渡される。ＣＯＭ側にはプラスマイナス対称のセレクト電圧、リセット電圧、非選択電圧が用意されているので、このコントロール信号に従いどれか１つの電圧が選択され、ＣＯＭ液晶ドライバー２０より選択された信号が出力される。
同様に、ＳＥＧ側にも非選択電圧を対称位置に複数の電圧が用意されており、これもＳＥＧ出力コントロール信号に従いどれか１つの電圧が選択され、ＳＥＧ液晶ドライバー２１から選択された信号が出力される。ちなみに、ＳＥＧ側に必要な電圧レベルは、４ライン同時選択の場合で５レベル、２ライン同時選択の場合で３レベルとなる。
以上の構成からなる駆動回路を準備し、パーソナル・コンピュータからの映像信号をソースとして液晶装置（または液晶表示体）１２の点灯を行なったところ、従来のスーパーツイストネマチック液晶による表示体に優る表示品質を確認した。また、従来駆動法による液晶装置と比較しても、駆動マージン、コントラスト比の優れた液晶表示を確認した。
（実施例１１）
本実施例においては、前述の実施例１〜１０において説明した液晶装置を電子機器に搭載した例について説明する。
電子機器として、第１８図に示す液晶プロジェクタ、第１９図に示すマルチメディア対応のパーソナルコンピュータ（ＰＣ）及びエンジニアリング・ワークステーション（ＥＷＳ）、第２０図に示すページャ、あるいは携帯電話、ワードプロセッサ、テレビ、ビューファインダ型又はモニタ直視型のビデオテープレコーダ、電子手帳、電子卓上計算機、カーナビゲーション装置、ＰＯＳ端末、タッチパネルを備えた装置などを挙げることができる。
第１８図は液晶プロジェクタを示す。本発明の液晶装置を透過型の液晶ライトバルブとして用いた。図に示す液晶プロジェクタは、例えば３板プリズム方式の光学系を用いている。
第１８図において、プロジェクタ１１００では、白色光源のランプユニット１１０２から射出された投写光がライトガイド１１０４の内部で、複数のミラー１１０６および２枚のダイクロイックミラー１１０８によって赤（Ｒ）、緑（Ｇ）、青（Ｂ）の３原色に分けられ、それぞれの色の画像を表示する３枚の液晶パネル１１１０Ｒ、１１１０Ｇおよび１１１０Ｂに導かれる。そして、それぞれの液晶パネル１１１０Ｒ、１１１０Ｇおよび１１１０Ｂによって変調された光は、ダイクロイックプリズム１１１２に３方向から入射される。ダイクロイックプリズム１１１２では、レッド（Ｒ）およびブルー（Ｂ）の光が９０°曲げられ、グリーン（Ｇ）の光が直進するので各色の画像が合成され、投写レンズ１１１４を通してスクリーンなどにカラー画像が投写される。
本願の様な液晶装置を液晶プロジェクタのライトバルブとして搭載することにより、解像度の高い液晶装置を搭載することができると共に、高速のスイッチング、メモリー性、という特性を有する本願の液晶装置を用いることによって高精細で鮮明な液晶プロジェクタを得ることができる。
次に、第１９図に示すパーソナルコンピュータ１２００は、キーボード１２０２を備えた本体部１２０４と、液晶表示画面１２０６とを有する。
第２０図に示すページャ１３００は、金属製フレーム１３０２内に、液晶表示基板１３０４、バックライト１３０６ａを備えたライトガイド１３０６、回路基板１３０８、第１，第２のシールド板１３１０，１３１２、２つの弾性導電体１３１４，１３１６、及びフィルムキャリアテープ１３１８を有する。２つの弾性導電体１３１４，１３１６及びフィルムキャリアテープ１３１８は、液晶表示基板１３０４と回路基板１３０８とを接続するものである。
ここで、液晶表示基板１３０４は、２枚の透明基板１３０４ａ，１３０４ｂの間に液晶を封入したもので、先の実施例１〜１０に示した本願の液晶装置が搭載される。
（実施例１２）
本実施例においては、前述の実施例１〜１０に記載の液晶装置を反射型の液晶装置として使用し、反射型の液晶装置を電子機器へ搭載した構成について説明する。なお、本発明の液晶装置を反射型の液晶パネルとする場合、一方の電極を反射特性を有する電極により形成するか、もしくは一方の基板背面に反射層を形成することにより反射型の液晶装置を形成することができる。
第２１図は、本発明の液晶装置を用いた電子機器の一例であり、本発明の反射型の液晶装置をライトバルブとして用いたプロジェクタの要部を平面的に見た概略構成図である。
この第２１図は、光学要素１３０の中心を通るＸＺ平面における断面図である。本例のプロジェクタは、システム光軸Ｌに沿って配置された光源部１１０、インテグレータレンズ１２０、偏光変換素子１３０から概略構成される偏光照明装置１００、偏光照明装置１００から出射されたＳ偏光光束をＳ偏光光束反射面２０１により反射させる偏光ビームスプリッタ２００、偏光ビームスプリッタ２００のＳ偏光反射面２０１から反射された光のうち、青色光（Ｂ）の成分を分離するダイクロイックミラー４１２、分離された青色光（Ｂ）を青色光を変調する反射型液晶ライトバルブ３００Ｂ、青色光が分離された後の光束のうち赤色光（Ｒ）の成分を反射させて分離するダイクロイックミラー４１３、分離された赤色光（Ｒ）を変調する反射型液晶ライトバルブ３００Ｒ、ダイクロイックミラー４１３を透過する残りの緑色光（Ｇ）を変調する反射型液晶ライトバルブ３００Ｇ、３つの反射型液晶ライトバルブ３００Ｒ、３００Ｇ、３００Ｂにて変調された光をダイクロイックミラー４１２，４１３，偏光ビームスプリッタ２００にて合成し、この合成光をスクリーン６００に投射する投射レンズからなる投射光学系５００から構成されている。上記３つの反射型液晶ライトバルブ３００Ｒ、３００Ｇ、３００Ｂには、それぞれ前述の液晶装置が用いられている。
光源部１１０から出射されたランダムな偏光光束は、インテグレータレンズ１２０により複数の中間光束に分割された後、第２のインテグレータレンズを光入射側に有する偏光変換素子１３０により偏光方向がほぼ揃った一種類の偏光光束（Ｓ偏光光束）に変換されてから偏光ビームスプリッタ２００に至るようになっている。偏光変換素子１３０から出射されたＳ偏光光束は、偏光ビームスプリッタ２００のＳ偏光光束反射面２０１によって反射され、反射された光束のうち、青色光（Ｂ）の光束がダイクロイックミラー４１２の青色光反射層にて反射され、反射型液晶ライトバルブ３００Ｂによって変調される。
また、ダイクロイックミラー４１１の青色光反射層を透過した光束のうち、赤色光（Ｒ）の光束はダイクロイックミラー４１３の赤色光反射層にて反射され、反射型液晶ライトバルブ３００Ｒによって変調される。一方、ダイクロイックミラー４１３の赤色光反射層を透過した緑色光（Ｇ）の光束は反射型液晶ライトバルブ３００Ｇによって変調される。このようにして、それぞれの反射型液晶ライトバルブ３００Ｒ、３００Ｇ、３００Ｂによって色光の変調がなされる。
これらの液晶装置の各画素から反射された色光のうち、Ｓ偏光成分はＳ偏光を反射する偏光ビームスプリッタ２００を透過せず、一方、Ｐ偏光成分は透過する。この偏光ビームスプリッタ２００を透過した光により画像が形成される。
第２２図（ａ）は携帯電話を示す斜視図である。１０００は携帯電話本体を示し、そのうちの１００１は本発明の反射型液晶パネルを用いた液晶表示部である。
第２２図（ｂ）は、腕時計型電子機器を示す図である。１１００は時計本体を示す斜視図である。１１０１は本発明の反射型液晶パネルを用いた液晶表示部である。この液晶パネルは、従来の時計表示部に比べて高精細の画素を有するので、テレビ画像表示も可能とすることができ、腕時計型テレビを実現できる。
第２２図（ｃ）は、ワープロ、パソコン等の携帯型情報処理装置を示す図である。１２００は情報処理装置を示し、１２０２はキーボード等の入力部、１２０６は本発明の反射型液晶パネルを用いた表示部、１２０４は情報処理装置本体を示す。各々の電子機器は電池により駆動される電子機器であるので、光源ランプを持たない反射型液晶パネルを使えば、電池寿命を延ばすことが出来る。また、本発明のように、周辺回路をパネル基板に内臓できるので、部品点数が大幅に減り、より軽量化・小型化できる。
以上の実施例で明らかなように、本発明の液晶装置は複数の走査電極が同時に選択される駆動する方法によって、１走査電極毎に線順次に走査する従来法に優る駆動マージンとコントラスト比を得ることが出来た。特に、選択期間内において集中的に選択パルスを印加することが駆動電圧マージンを広げる上で最も効果的であった。
また、複数の走査電極が同時に選択される際に、選択期間を２回以上に分割あるいは数回に分散させ、選択パルスの間を空けるバリエーションをつけることで、個々の表示素子の応答特性に合わせた最適化も可能であった。
【図１】
0003689781.tif 000004
【図２】
0003689781.tif 000005
【図３】
0003689781.tif 000006
【図４】
0003689781.tif 000007
【図５】
0003689781.tif 000008
【図６】
0003689781.tif 000009
【図７】
0003689781.tif 000010
【図８】
0003689781.tif 000011
【図９】
0003689781.tif 000012
【図１０】
0003689781.tif 000013
【図１１】
0003689781.tif 000014
【図１２】
0003689781.tif 000015
【図１３】
0003689781.tif 000016
【図１４】
0003689781.tif 000017
【図１５】
0003689781.tif 000018
【図１６】
0003689781.tif 000019
【図１７】
0003689781.tif 000020
【図１８】
0003689781.tif 000021
【図１９】
0003689781.tif 000022
【図２０】
0003689781.tif 000023
【図２１】
0003689781.tif 000024
【図２２】
0003689781.tif 000025